(57)【要約】【課題】既存建物に対する地震時の水平力の伝達を抑制しながら、既存建物に対する後施工も必要せずに、既存建物に作業者が乗り込み可能とすること。【解決手段】既存建物２に対する新設外階段１１と、新設外階段１１における階段部材からの跳ね出しにより構築された歩廊３１とが備えられ、歩廊３１は、既存建物２と新設外階段１１との間に架け渡して、新設外階段１１から既存建物２への乗り込み歩廊として備えられ、乗り込み歩廊３１は、既存建物２との間に繋ぎ材を介することなく、地震時の水平力の伝達を抑制する状態で既存建物２に架け渡されている。【選択図】図２
2020183639.tif 000002
【特許請求の範囲】
【請求項１】
既存建物に対する新設外階段と、
前記新設外階段における階段部材からの跳ね出しにより構築された歩廊とが備えられ、
前記歩廊は、前記既存建物と前記新設外階段との間に架け渡して、前記新設外階段から前記既存建物への乗り込み歩廊として備えられ、
前記乗り込み歩廊は、前記既存建物との間に繋ぎ材を介することなく、地震時の水平力の伝達を抑制する状態で前記既存建物に架け渡されている既存建物への乗り込み用構造物。
【請求項２】
前記乗り込み歩廊は、滑り部を介して前記既存建物に当接させる状態で前記既存建物に架け渡されている請求項１に記載の既存建物への乗り込み用構造物。
【請求項３】
前記乗り込み歩廊は、前記階段部材に片持ち支持されている請求項１又は２に記載の既存建物への乗り込み用構造物。
【請求項４】
前記新設外階段は、繋ぎ材を介することなく、独立して自立可能とする基礎部を備え、その基礎部に階段部分の一部が備えられている請求項１〜３の何れか１項に記載の既存建物への乗り込み用構造物。
【請求項５】
前記新設外階段の基礎部は、前記既存建物の既存基礎部に接続されている請求項１〜４の何れか１項に記載の既存建物への乗り込み構造物。
【発明の詳細な説明】
【技術分野】
【０００１】
本発明は、既存建物に作業者が乗り込み可能な乗り込み用構造物に関する。
【背景技術】
【０００２】
例えば、ガス等の危険物を保管するタンクでは、作業者がタンクに備えられた梯子や外周歩廊を昇降することで、メンテナンス作業等の各種の作業を行っている。このとき、例えば、作業者が梯子にて昇降すると、作業者の作業負担が増大することになる。そこで、既存建物では、作業者が既存建物に乗り込み可能な乗り込み構造物を構築することが望まれている。
【０００３】
特許文献１では、タンクではないものの、既存建物に対する補強構造体として、補強階段を後付けで備える点が記載されている。このように、既存建物に対して新設階段を備え、新設階段と既存建物とを接続することで、作業者は、既存建物への乗り込みが可能となる。
【先行技術文献】
【特許文献】
【０００４】
【特許文献１】特許第５４３３０３５号公報
【特許文献２】特許第３６０８５９８号公報
【発明の概要】
【発明が解決しようとする課題】
【０００５】
新設階段と既存建物とを接続するに当たり、繋ぎ材等を介して新設階段と既存建物とを接続すると、地震時に新設階段から既存建物に対して水平力が伝達されてしまい、既存建物に悪影響が及ぶことになる。したがって、特に、既存建物を、危険物を保管するタンク等とする場合には、乗り込み構造物として、既存建物に地震時の水平力が伝達されない構造を採用することが求められている。
【０００６】
そこで、例えば、特許文献２に記載の如く、新設階段側の踊り場と既存建物側の踊り場とを相対的に変位可能に重ね合わせたエキスパンションジョイントを備える構造を採用することで、地震時に新設階段から既存建物に対して水平力が伝達されるのを抑制することが考えられる。
【０００７】
しかしながら、この場合には、既存建物側に対して、エキスパンションジョイントのための踊り場等を後施工しなければならず、施工性の低下や構造の複雑化を招くものとなる。また、既存建物を、危険物を保管するタンク等とする場合には、既存建物に対する後施工が行えない場合もある。
【０００８】
この実情に鑑み、本発明の主たる課題は、既存建物に対する地震時の水平力の伝達を抑制しながら、既存建物に対する後施工も必要せずに、既存建物に作業者が乗り込み可能な既存建物への乗り込み用構造物を提供する点にある。
【課題を解決するための手段】
【０００９】
本発明の第１特徴構成は、既存建物に対する新設外階段と、
前記新設外階段における階段部材からの跳ね出しにより構築された歩廊とが備えられ、
前記歩廊は、前記既存建物と前記新設外階段との間に架け渡して、前記新設外階段から前記既存建物への乗り込み歩廊として備えられ、
前記乗り込み歩廊は、前記既存建物との間に繋ぎ材を介することなく、地震時の水平力の伝達を抑制する状態で前記既存建物に架け渡されている点にある。
【００１０】
本構成によれば、乗り込み歩廊は、既存建物との間に繋ぎ材を介することなく、地震時の水平力の伝達を抑制する状態で既存建物に架け渡されているので、新設階段から既存建物に対して、地震時に水平力が伝達されるのを抑制することができる。しかも、乗り込み歩廊は、階段部材からの跳ね出しにより構築されているので、既存建物に対して架け渡すだけでよく、既存建物に対する後施工も必要としない。
【００１１】
以上のことから、既存建物に対する地震時の水平力の伝達を抑制しながら、既存建物に対する後施工も必要せずに、既存建物に作業者が乗り込み可能な乗り込み用構造物を提供することができる。
【００１２】
本発明の第２特徴構成は、前記乗り込み歩廊は、滑り部を介して前記既存建物に当接させる状態で前記既存建物に架け渡されている点にある。
【００１３】
本構成によれば、地震時には、滑り部が既存建物に対して滑り移動するので、新設階段から既存建物に水平力が伝達されるのを抑制することができる。乗り込み歩廊は、滑り部を介して既存建物に当接されているので、作業者が乗り込み歩廊を歩行するとき等の振動を防止することができる。
【００１４】
本発明の第３特徴構成は、前記乗り込み歩廊は、前記階段部材に片持ち支持されている点にある。
【００１５】
本構成によれば、乗り込み歩廊は、階段部材に片持ち支持されているので、新設外階段から既存建物に対して、長期荷重による鉛直力が伝達されるのを抑制することができる。これにより、地震時の水平力の伝達だけでなく、長期荷重による鉛直力の伝達をも抑制することができるので、新設階段を既存建物から独立して構築することができる。
【００１６】
本発明の第４特徴構成は、前記新設外階段は、繋ぎ材を介することなく、独立して自立可能とする基礎部を備え、その基礎部に階段部分の一部が備えられている点にある。
【００１７】
本構成によれば、新設外階段は、基礎部によって、繋ぎ材を介することなく、独立して自立可能であるので、例えば、地震時等に、新設外階段の転倒を防止することができる。このように、新設外階段を自立可能とする基礎部は、大型なものとなるが、その大型な基礎部を利用して、新設外階段の階段部分を備えるので、転倒防止を図るための構造を利用しながら、階段部分を備えることができ、構造の簡素化を効率よく図ることができる。
【００１８】
本発明の第５特徴構成は、新設外階段の基礎部は、前記既存建物の既存基礎部に接続されている点にある。
【００１９】
本構成によれば、新設外階段の基礎部を既存建物の既存基礎部に接続することで、例えば、地震時における新設外階段と既存建物の転倒防止を効率よく図ることができる。
【図面の簡単な説明】
【００２０】
【図１】タンク及び乗り込み用構造物の全体を示す斜視図
【図２】タンク及び乗り込み用構造物の全体を示す側面図
【図３】新設外階段の一部を示す図
【図４】乗り込み歩廊、新設外階段、及び、タンクの外周歩廊を下方側から見た図
【図５】乗り込み歩廊、新設外階段、及び、タンクの外周歩廊の側面図
【図６】乗り込み歩廊、新設外階段、及び、タンクの外周歩廊を下方側から見た図
【発明を実施するための形態】
【００２１】
本発明に係る既存建物への乗り込み用構造物の実施形態について、図面に基づいて説明する。
既存建物として、図１及び図２に示すように、例えば、ガス等の危険物を保管するタンク２が備えられ、乗り込み用構造物１は、タンク２に作業者等が乗り込み可能となる乗り込み用構造物１となっている。タンク２に対して乗り込み用構造物１を増築することで、作業者等がタンク２に乗り込んでメンテナンス作業等の各種の作業を行うことができる。
【００２２】
タンク２は、上下方向に延びる円柱状に構成されており、タンク２の外周部には、径方向の外周側に跳ね出した外周歩廊３が備えられている。外周歩廊３は、上下方向で一定の所定間隔を隔てて複数配置されている。外周歩廊３の外周部には、上方側に延びる手摺４が備えられている。
【００２３】
乗り込み用構造物１は、図１及び図２に示すように、タンク２の外周歩廊３に対して作業者等が乗り込み可能に構成されている。乗り込み用構造物１は、タンク２に対する新設外階段１１と、新設外階段１１における階段部材１２からの跳ね出しにより構築された歩廊３１（図４及び図５参照）とが備えられている。
【００２４】
新設外階段１１は、図１及び図２に示すように、タンク２の横側部に近接する位置に構築されている。新設外階段１１における階段部材１２は、左右一対のささら桁１３に亘って配設された段板１４から構成された階段部分１５と、踊り場部分１６とを有している。新設外階段１１には、左右一対のささら桁１３及び踊り場部分１６の端部に亘る状態で、手摺２２が備えられている。
【００２５】
新設外階段１１は、図１〜図３に示すように、平面視で矩形の四隅に相当する位置に配置された４つの柱材１７（例えば、Ｈ形鋼）と、柱材１７同士等を連結する複数の梁材１８ａ、１８ｂ（例えば、Ｈ形鋼）と、梁材１８ｂ同士等を連結する複数の連結材１９（例えば、Ｈ形鋼）とが備えられている。ちなみに、図１では、柱材１７、梁材１８ａ、１８ｂ、連結材１９等を模式的に矩形状に示しているが、これらの各部材をどのような断面形状の鋼材とするかは適宜変更が可能である。
【００２６】
梁材１８ａ、１８ｂは、柱材１７同士の間隔が短い短尺の第１梁材１８ａと、柱材１７同士の間隔が大きい長尺の第２梁材１８ｂとが備えられている。第１梁材１８ａは、階段部分１５の横幅方向に沿う姿勢となり、第２梁材１８ｂは、階段部分１５の長さ方向に沿う姿勢となっている。連結材１９は、新設外階段１１の一端側（図３中左側）において、階段部分１５の長さ方向に間隔を隔てる状態で、第２梁材１８ｂ同士を連結するように複数備えられている。
【００２７】
ささら桁１３については、図１及び図３に示すように、新設外階段１１の一端側（図３中左側）において、ささら桁１３の一端部が、連結材１９に連結固定されており、新設外階段１１の他端側（図３中右側）において、ささら桁１３の他端部が、第１梁材１８ａに連結固定されている。踊り場部分１６については、新設外階段１１の一端側（図３中左側）において、隣接して並ぶ２組の左右一対のささら桁１３に亘って配設された鋼板２０（図３及び図５参照）にて踊り場部分１６が構築されており、新設外階段１１の他端側においても、隣接して並ぶ２組の左右一対のささら桁１３に亘って配設された鋼板（図示省略）にて踊り場部分１６が構築されている。
【００２８】
歩廊３１は、図２、図４及び図５に示すように、タンク２と新設外階段１１との間に架け渡して、新設外階段１１からタンク２への乗り込み歩廊３１として備えられている。歩廊３１は、図４及び図５に示すように、新設外階段１１の階段部材１２に片持ち支持され、タンク２との間に繋ぎ材を介することなく、タンク２に架け渡されている。図４は、歩廊３１、タンク２の外周歩廊３、新設外階段１１の踊り場部分１６を下方側から見た図を示しており、図５は、図４における歩廊３１、タンク２の外周歩廊３、新設外階段１１の踊り場部分１６を示す側面図である。
【００２９】
歩廊３１は、図４及び図５に示すように、階段部材１２における踊り場部分１６からタンク２側に跳ね出した平面視で矩形状の板状部材３２（例えば、鋼板）にて構築されている。第２梁材１８ｂの上部には、第２梁材１８ｂの長さ方向に沿う姿勢で支持部材３３が備えられ、板状部材３２における踊り場部分１６側が支持部材３３に連結固定されている。板状部材３２である歩廊３１は、鋼板２０である踊り場部分１６よりも一段高い位置に配置されている。
【００３０】
図４に示すものでは、板状部材３２である歩廊３１を踊り場部分１６よりも一段高い位置に配置しているが、図示は省略するが、例えば、板状部材３２である歩廊３１を踊り場部分１６よりも一段低い位置にも配置することができる。この場合には、支持部材３３を省略して、板状部材３２を第２梁材１８ｂに固定連結することで、歩廊３１を踊り場部分１６よりも一段低い位置に構築することができる。
【００３１】
ここで、タンク２の外周歩廊３への乗り込み歩廊３１は、板状部材３２にて構築しているが、図示は省略するが、例えば、板状部材３２の幅方向の両端部に側壁板、及び、その側壁板から上方側に延びる手摺等を備えることもできる。
【００３２】
板状部材３２におけるタンク２側には、滑り部３４が備えられ、板状部材３２である歩廊３１は、滑り部３４を介してタンク２の外周歩廊３に当接させる状態でタンク２の外周歩廊３に架け渡されている。板状部材３２である歩廊３１は、タンク２の外周歩廊３よりも高い位置に配置されており、歩廊３１の下面部がタンク２の外周歩廊３の上面部に当接可能に備えられている。
【００３３】
滑り部４３は、板状部材３２の下面部に台金部材３５を介して取り付けられた当接部材３６にて構成され、当接部材３６が外周歩廊３の上面部に当接している。当接部材３６は、例えば、ピラーフロロゴールド等の摩擦係数の小さい材料にて構成されている。当接部材３６は、滑り材やエラストマー等の弾性部材にて構成することもできる。滑り部４３は、板状部材３２の長さ方向（新設外階段１１の踊り場部分１６からタンク２の外周歩廊３に向かう水平方向に沿う方向）に延設された状態で、板状部材３２の横幅方向に間隔を隔てて複数備えられている（例えば、板状部材３２の横幅方向の両端部位に相当する位置の夫々）。このようにして、地震発生時には、板状部材３２である歩廊３１が、滑り部３４によりタンク２の外周歩廊３の上面部を滑り移動することになり、乗り込み歩廊３１は、タンク２との間に繋ぎ材を介することなく、地震時の水平力の伝達を抑制する状態でタンク２に架け渡されている。
【００３４】
図４及び図５では、新設外階段１１における踊り場部分１６の横側部の近傍箇所に、タンク２の外周歩廊３が存在する場合に、その外周歩廊３に対する乗り込み歩廊３１を示しているが、タンク２の上下方向では、外周歩廊３が存在する位置が異なっている。例えば、図６に示すように、タンク２の外周歩廊３が新設外階段１１における踊り場部分１６から離れた箇所に、タンク２の外周歩廊３が存在する場合がある。ちなみに、図６では、外周歩廊３に対して昇降するための梯子７が、外周歩廊３の端部に近接する状態で備えられている。
【００３５】
そこで、このような外周歩廊３に対しても、作業者が乗り込みできるように、乗り込み歩廊として、歩廊３１に加えて、跳ね出し歩廊４０が構築されている。第２梁材１８ｂや連結材１９等から水平方向に跳ね出す状態で複数の延設部材３７を備え、その延設部材３７の上部に床板部材３８を配置することで、新設外階段１１における踊り場部分１６からの跳ね出し歩廊４０を構築している。図６は、図４と同様に、歩廊３１、タンク２の外周歩廊３、新設外階段１１の踊り場部分１６等を下方側から見た図である。図６に示すものでは、複数の延設部材３７及び床板部材３８を組み合わせて、平面視でＬ字状の跳ね出し歩廊４０が構築されている。図６に示すものでは、跳ね出し歩廊４０及び歩廊３１にて、新設外階段１１における踊り場部分１６からタンク２の外周歩廊３に作業者等が乗り込み可能に構成されている。
【００３６】
跳ね出し歩廊４０の先端部には、タンク２側に跳ね出した平面視で台形状の板状部材３９（例えば、鋼板）が備えられ、この板状部材３９にて外周歩廊３への乗り込み歩廊３１が構築されている。板状部材３９におけるタンク２側には、図４の板状部材３２と同様に、板状部材３９の長さ方向（跳ね出し歩廊４０の先端部からタンク２の外周歩廊３に向かう水平方向に沿う方向）に延設された状態で、板状部材３９の横幅方向に間隔を隔てた複数の滑り部３４が備えられ、板状部材３２である歩廊３１は、滑り部３４を介してタンク２の外周歩廊３に当接させる状態でタンク２の外周歩廊３に架け渡されている。板状部材３９である歩廊３１は、タンク２の外周歩廊３よりも高い位置に配置されており、歩廊３１の下面部がタンク２の外周歩廊３の上面部に当接可能に備えられている。
【００３７】
新設外階段１１は、図２に示すように、繋ぎ材を介することなく、独立して自立可能とする基礎部２１を備えている。基礎部２１は、タンク２の既存基礎部５の上部に構築され、図１及び図２に示すように、その一部（上方側）が地面Ｇよりも上方側の地上に配置されたＲＣ基礎部にて構成されている。基礎部２１において地上に配置された地上基礎部位２１ａには、柱材１７の下端部が埋設されており、柱材１７が、基礎部２１から上方側に延びる立設状態で構築されている。地上基礎部位２１ａには、図１及び図３に示すように、新設外階段１１における階段部分１５の一部が備えられている。地上基礎部位２１ａには、図３に示すように、地上からの最下段の階段部分１５ａが備えられ、その階段部分１５ａに引き続く状態で地上基礎部位２１ａの上面部が配置されている。新設外階段１１において最下位に位置するささら桁１３の下端部は、地上基礎部位２１ａに固定連結されている。
【００３８】
新設外階段１１の基礎部２１は、図２に示すように、後施工に取り付けられるアンカー部材６等により、既存基礎部５に接続されている。アンカー部材６の取付箇所は適宜変更可能であり、図２に示すものでは、上下方向で基礎部２１と既存基礎部５とを接続するようにアンカー部材６を取り付けているが、例えば、水平方向で基礎部２１と既存基礎部５とを接続するようにアンカー部材６を取り付けることもできる。
【００３９】
〔別実施形態〕
（１）上記実施形態では、歩廊３１を、滑り部３４を介してタンク２の外周歩廊３に当接させる状態でタンク２に架け渡すことで、地震時の水平力の新設外階段１１からタンク２への伝達を抑制しているが、滑り部に限るものではなく、歩廊としては、地震時の水平力の新設外階段１１からタンク２への伝達を抑制する状態で、新設外階段１１からタンク２側に架け渡すものであればよい。
【００４０】
（２）上記実施形態では、既設建物として、ガス等の危険物を保管するタンク２を適用した例を示しているが、その他各種の建物を適用することができる。
【符号の説明】
【００４１】
１          乗り込み用構造物
２          タンク（既存建物）
５          既存基礎部
６          アンカー部材
１１        新設外階段
１２        階段部材
１５ａ      階段部分
２１        基礎部
３１        歩廊
３４        滑り部
【図１】
2020183639.tif 000003
【図２】
2020183639.tif 000004
【図３】
2020183639.tif 000005
【図４】
2020183639.tif 000006
【図５】
2020183639.tif 000007
【図６】
2020183639.tif 000008